(57)【要約】  【課題】不揮発性メモリに設定記憶された庫内温度を制御する制御用データが所定のデータとは違う場合でもそのまま制御用データとして使用されてしまい、異常な制御用データで運転制御することを防ぐ。  【解決手段】不揮発性メモリ２に記憶された制御用データの異常の有無を確認するための確認データを不揮発性メモリ２に記憶させ、確認データが所定の値であるかを判定することにより異常データの有無を判定し、異常と判定した時は、所定の制御設定値にて運転制御し、異常な制御用データで運転制御することを防ぐことができる。【選択図】図１
2007100999.tif 000002
【特許請求の範囲】
【請求項１】
不揮発性メモリに記憶された制御用データにより冷蔵庫の運転を制御する制御手段を備え、制御用データの異常の有無を確認するための確認用データを不揮発性メモリに記憶させる冷蔵庫の制御装置。
【請求項２】
前記確認用データは制御用データの全総和値であり、読込んだ制御用データの全総和値と確認用データを比較することにより異常データの有無を判定する制御手段を備えた請求項１に記載の冷蔵庫の制御装置。
【請求項３】
前記確認用データは各制御用データ記憶領域毎の総和値であり、読込んだ各制御用データ記憶領域毎の総和値と各記憶領域毎の確認用データを比較し記憶領域毎に異常データの有無を判定する制御手段を備えた請求項１に記載の冷蔵庫の制御装置。
【請求項４】
前記確認用データは予め定めた固有の値であり、読込んだ確認用データと制御手段に記憶された判定用データを比較することにより、読込んだ制御用データを異常と判定する制御手段を備えた請求項１に記載の冷蔵庫の制御装置。
【請求項５】
不揮発性メモリに記憶された制御用データが異常と判定した時、制御手段に記憶された所定の制御データにて運転制御する制御手段を備えた請求項１から４のいずれか一項に記載の冷蔵庫の制御装置。
【請求項６】
不揮発性メモリに記憶された制御用データが異常と判定した時、所定の運転パターンによる冷却運転を行う制御手段を備えた請求項１から４のいずれか一項に記載の冷蔵庫の制御装置。
【請求項７】
不揮発性メモリに記憶された制御用データが異常と判定した時、制御する全負荷を停止して知らせる制御手段を備えた請求項１から４のいずれか一項に記載の冷蔵庫の制御装置。
【請求項８】
表示手段を備え、不揮発性メモリに記憶された制御用データが異常と判定した時に表示する表示手段を備えた請求項１から７のいずれか一項に記載の冷蔵庫の制御装置。
【発明の詳細な説明】
【技術分野】
【０００１】
本発明は、冷蔵庫の制御データを記憶する不揮発性メモリを備え、不揮発性メモリに記憶された制御データにより運転制御する制御装置を備えた冷蔵庫に関するものである。
【背景技術】
【０００２】
従来、この種の制御装置としては、不揮発性メモリに設定記憶された基準温度データにより運転制御するもの（例えば、特許文献１参照）があり、機種別に制御データが違う場合等も不揮発性メモリのデータ変更で対応できる。
【０００３】
以下、図面を参照しながら上記従来の冷蔵庫の制御装置を説明する。
【０００４】
図４は、従来の制御装置のブロック図を示している。図４に示すように従来の制御装置ではＣＰＵ１０１は不揮発性メモリＥ２ＰＲＯＭ１０２に設定記憶された基準温度データとサーミスタ１０３により検出される温度データと比較し冷熱制御装置１０４を制御し、何らかの要因（データ未書込みやデータ破壊）により前記Ｅ２ＰＲＯＭ内のデータが無い場合はＲＯＭ１０５内に予め記憶してある基準温度データで制御するというものであった。
【特許文献１】特開平５−５４２５３号公報
【発明の開示】
【発明が解決しようとする課題】
【０００５】
しかしながら、上記従来の構成では、不揮発性メモリに記憶された制御用データが、データ未書込みやデータ破壊等による明らかにデータに不具合が有る場合は予め記憶してある制御用データで制御するが、制御用データがデータ未書込みやデータ破壊等による不具合ではないが、制御用データが所定のデータとは違う場合でもそのまま制御用データとして使用されてしまい、庫内温度設定が異常な温度設定となってしまうという課題を有していた。
【０００６】
本発明は従来の課題を解決するもので、不揮発性メモリに記憶された制御用データの異常の有無を判定する冷蔵庫の制御装置を提供することを目的とする。
【課題を解決するための手段】
【０００７】
上記従来の課題を解決するために、本発明は、不揮発性メモリに記憶された制御用データの異常の有無を確認するための確認用データを不揮発性メモリに記憶させ、制御手段で読込んだ確認用データにより異常データの有無を判定し、異常を判定した時に所定の冷却運転設定にて運転制御し、表示手段により表示するように構成したものである。
【発明の効果】
【０００８】
本発明は、不揮発性メモリに記憶された制御用データの異常の有無を確認するための確認用データを不揮発性メモリに記憶させ、制御手段で読込んだ確認用データにより異常データの有無を判定することができるので制御の精度、信頼性を高めることができる。
【発明を実施するための最良の形態】
【０００９】
請求項１に記載の発明は、不揮発性メモリに記憶された制御用データにより冷蔵庫の運転を制御する制御手段を備え、制御用データの異常の有無を確認するための確認用データを不揮発性メモリに記憶させるものであり、制御手段で読込んだ確認用データにより異常データの有無を判定することができるので制御の精度、信頼性を高めることができる。
【００１０】
請求項２に記載の発明は、請求項１に記載の発明において、前記確認用データは制御用データの全総和値であり、読込んだ制御用データの全総和値と確認用データを比較することにより異常データの有無を判定する制御手段を備えたものであり、データ異常判定の精度を向上させることができる。
【００１１】
請求項３に記載の発明は、請求項１に記載の発明において、前記確認用データは各制御用データ記憶領域毎の総和値であり、読込んだ各制御用データ記憶領域毎の総和値と各記憶領域毎の確認用データを比較し記憶領域毎に異常データの有無を判定する制御手段を備えたものであり、さらにデータ異常判定の精度を向上させることができる。
【００１２】
請求項４に記載の発明は、請求項１に記載の発明において、前記確認用データは予め定めた固有の値であり、読込んだ確認用データと制御手段に記憶された判定用データを比較することにより、読込んだ制御用データを異常と判定する制御手段を備えたものであり、制御用データが異なる制御用データである時、異なる各制御設定値で制御運転されるのを防ぐことができる。
【００１３】
請求項５に記載の発明は、請求項１から４のいずれか一項に記載の発明において、不揮発性メモリに記憶された制御用データが異常と判定した時、制御手段に記憶された所定の制御データにて運転制御する制御手段を備えたものであり、不揮発性メモリに記憶された制御用データが異常と判定した時、制御手段に記憶された所定の制御データにて運転制御し設定記憶した値とは違う制御用データがそのまま制御用データとして使用されてしまい、庫内温度設定が異常な温度設定となってしまうことを防ぐことができる。
【００１４】
請求項６に記載の発明は、請求項１から４のいずれか一項に記載の発明において、不揮発性メモリに記憶された制御用データが異常と判定した時、所定の運転パターンによる冷却運転を行う制御手段を備えたものであり、不揮発性メモリに記憶された制御用データが異常と判定した時、所定の運転パターンによる冷却運転を行い、庫内を冷却することができる。
【００１５】
請求項７に記載の発明は、請求項１から４のいずれか一項に記載の発明において、不揮発性メモリに記憶された制御用データが異常と判定した時、制御する全負荷を停止して知らせる制御手段を備えたものであり、表示手段がない場合でも異常を知らせることができる。
【００１６】
請求項８に記載の発明は、請求項１から７のいずれか一項に記載の発明において、表示手段を備え、不揮発性メモリに記憶された制御用データが異常と判定した時、表示する表示手段を備えたものであり、不揮発性メモリに記憶された制御用データが異常と判定した時、表示で確実に知らせることができる。
【００１７】
以下本発明の実施の形態について、図面を参照しながら説明する。なお、従来と同一構成については同一符号を付して詳細な説明を省略する。
【００１８】
（実施の形態１）
図１は、本発明の実施の形態１における冷蔵庫の制御装置のブロック図であり、図２は不揮発性メモリの記憶領域の説明図であり、図３は冷蔵庫の制御装置の動作を示すフローチャートである。以下図１から図３を参照しながら説明する。
【００１９】
図１において、制御手段１は不揮発性メモリ２内に記憶された制御用データを基に、各制御設定値（冷却運転のＯＮ／ＯＦＦ設定温度等）を設定し、設定温度になるように、サーミスタ３による各庫内温度検出値に基づいて制御負荷４（庫内ファン、圧縮機、庫内温度補償用ヒータ等）を制御し、各制御設定値が異常と判断した時に応急運転または停止する設定値を記憶しているものである。表示手段５は不揮発性メモリ２内の制御データが異常時に表示するものである。
【００２０】
図２において、不揮発性メモリ２には制御用データ記憶領域６と確認用データ記憶領域７と設定記憶領域８とがある。制御用データ記憶領域６は記憶領域が例えば冷凍室温度制御用６ａ、冷蔵室温度制御用６ｂ等、各制御用データ毎に分かれており、記憶する制御用データ数により使用される領域は多様である。確認用データ記憶領域７には、確認用データである制御用データの全総和値や例えば機種毎に設定された固有の値等制御用データの異常の有無を判定するためのデータを記憶するようにしたものであり、各記憶領域毎の確認用データとして例えば冷凍室温度制御用６ａの制御用データの総和値（チェックサム値）を確認用データ記憶領域７ａに記憶し、冷蔵室温度制御用６ｂの制御用データの総和値（チェックサム値）を確認用データ記憶領域７ｂ等に記憶するようにしたものである。設定記憶領域８は冷蔵庫の運転設定状態等を記憶する領域である。
【００２１】
以上のように構成された冷蔵庫の制御装置において、図３を参照しながら動作説明を行う。まず、ステップ１００で制御手段１は不揮発性メモリ２の制御用データ記憶領域６に記憶されている各制御用データと確認用データ記憶領域７に記憶されている確認用データの読み込みを行う。次にステップ１０１で読込んだ全ての制御用データを加算する。
【００２２】
次にステップ１０２で、読込んだ全ての制御用データを加算した値と不揮発性メモリ２の確認用データ記憶領域７に記憶されている確認用データである制御用データの総和値（チェックサム値）とを比較し、一致した場合は正常と判断し、一致しなければ異常と判断する。
【００２３】
以上のように、制御用データを記憶する不揮発性メモリを備えた冷蔵庫において不揮発性メモリに記憶された制御用データを読込む時に予め設定記憶した値とは違う場合は異常と判断することができる。
【００２４】
また、不揮発性メモリ２の制御用データ記憶領域６ａの制御用データの総和値（チェックサム値）を確認用データ記憶領域７ａに記憶し、制御用データ記憶領域６ｂの制御用データの総和値（チェックサム値）を確認用データ記憶領域７ｂに記憶させておくことで、ステップ１００で制御手段１は不揮発性メモリ２の制御用データ記憶領域６に記憶されている各制御用データ６ａ、６ｂと確認用データ記憶領域７に記憶されている確認用データである各制御用データの総和値７ａ、７ｂの読み込みを行う。次に読込んだ各制御用データを各記憶領域毎にステップ２００で加算する。次にステップ１０２で、制御用データ記憶領域６ａの制御用データを加算した値と確認用データ領域７ａの値を比較し、さらに制御用データ記憶領域６ｂの制御用データを加算した値と確認用データ領域７ｂの値を比較し、一致した場合は正常と判断し、一致しなければ異常と判断する。
【００２５】
以上のように、制御用データを記憶する不揮発性メモリを備えた冷蔵庫において不揮発性メモリに記憶された制御用データを読込む時に各記憶領域毎に予め設定記憶した値とは違う場合は異常と判断するので、データ異常判定の精度を向上させることができる。
【００２６】
また、不揮発性メモリ２の確認用データ記憶領域７の所定の記憶領域に確認用データ（例えば機種毎に設定された所定の値）を記憶させておき、ステップ１００で制御手段１は不揮発性メモリ２の制御用データ記憶領域６に記憶されている各制御用データと確認用データ記憶領域７に記憶されている確認用データの読み込みを行う。次にステップ１０２で読込んだ確認用データが予め記憶設定した値と一致するかを比較し、一致した場合は正常と判断し、一致しなければ異常と判断する。
【００２７】
以上のように、制御用データを記憶する不揮発性メモリを備えた冷蔵庫において不揮発性メモリに記憶された制御用データを読込む時に所定のデータが予め設定記憶した値とは違う場合は異常と判断するので、制御用データが異なる機種の制御用データである時、異なる各制御設定値で制御運転されるのを防ぐことができる。
【００２８】
また、ステップ１０２で読込んだ制御用データが正常と判断した時はステップ４００で読込んだ制御用データにより制御設定値を設定し、ステップ４０１で冷却制御を行うように制御負荷４を制御する。またステップ１０２で読込んだ制御用データが異常と判断した時、ステップ４０２で制御手段１に予め記憶されている基準制御用データにて制御設定値を設定しステップ４０１で基準制御設定値により冷却制御を行うように制御負荷４を制御する。
【００２９】
以上のように、制御用データを記憶する不揮発性メモリを備えた冷蔵庫において不揮発性メモリに記憶された制御用データが、予め設定記憶した値と違う場合は異常と判断し、所定の基準制御設定値にて運転制御し、予め設定記憶した値とは違う制御データがそのまま制御用データとして使用されてしまい、庫内温度設定が異常な温度設定となってしまうことを防ぐことができる。
【００３０】
また、ステップ１０２で読込んだ制御用データが異常と判断した時、ステップ５００で制御手段１に予め記憶されている所定の冷却運転パターン（例えばＯＮ時間Ｔ１分、ＯＦＦ時間をＴ２分等応急的に庫内を冷却できる設定）を設定し、ステップ４０１で強制的にＯＮ／ＯＦＦ冷却制御を行うように制御負荷４を制御する。
【００３１】
以上のように、制御用データを記憶する不揮発性メモリを備えた冷蔵庫において不揮発性メモリに記憶された制御用データが、予め設定記憶した値と違う場合は異常と判断し、所定の運転パターンによる冷却運転を行い庫内を冷却することができる。
【００３２】
また、ステップ１０２で読込んだ制御用データが異常と判断した時、ステップ６００で制御用データ異常表示設定を行い、ステップ６０１で表示手段５により表示する。
【００３３】
以上のように、表示手段を備え、不揮発性メモリに記憶された制御用データが予め設定記憶した値と違う場合は異常と判断し、表示手段により表示し知らせることができる。
【００３４】
また、ステップ１０２で読込んだ制御用データが異常と判断した時、ステップ７００で制御負荷全停止設定としステップ４０１で制御負荷４を停止する。
【００３５】
以上のように、不揮発性メモリに記憶された制御用データが予め設定記憶した値と違う場合は異常と判断し、制御負荷を全停止させることにより表示手段がない場合でも、知らせることができる。
【産業上の利用可能性】
【００３６】
以上のように本発明にかかる冷蔵庫の制御装置は、不揮発性メモリに記憶された制御用データが、予め設定記憶した値とは違う場合は異常と判断し、制御用データが異常なまま運転制御するのを防ぐことができるので、制御用データを設定記憶する不揮発性メモリを備えた機器全般に適用できる。
【図面の簡単な説明】
【００３７】
【図１】本発明の実施の形態１における冷蔵庫の制御装置のブロック図
【図２】本発明の実施の形態１における不揮発性メモリの記憶領域の説明図
【図３】本発明の実施の形態１における冷蔵庫の制御装置のフローチャート
【図４】従来の冷蔵庫の制御装置のブロック図
【符号の説明】
【００３８】
１    制御手段
２    不揮発性メモリ
５    表示手段
６    制御用データ記憶領域
６ａ  制御用データ記憶領域
６ｂ  制御用データ記憶領域
【図１】
2007100999.tif 000003
【図２】
2007100999.tif 000004
【図３】
2007100999.tif 000005
【図４】
2007100999.tif 000006